(57)【要約】【課題】太陽の直射日光の反射を抑制し、優れた防眩効果を発現する。【解決手段】デッキプレート（１）であって、平坦形状のフランジ部（２）と、前記フランジ部（２）から突出して該フランジ部の一定方向に沿って設けられる複数のリブ（３）と、隣接する前記リブ（３）間のフランジ部（２）に形成され、山部と谷部とが交互に繰り返して配置される凹凸部（４）とを有している。【選択図】図１
2020143448.tif 000002
【特許請求の範囲】
【請求項１】
平坦形状のフランジ部と、
前記フランジ部から突出して該フランジ部の一定方向に沿って設けられる複数のリブと、
隣接する前記リブ間のフランジ部に形成され、山部と谷部とが交互に繰り返して配置される凹凸部と、
を有することを特徴とするデッキプレート。
【請求項２】
前記凹凸部は、前記リブが延在する方向に沿って前記山部と前記谷部とが交互に繰り返して配置されることを特徴とする請求項１に記載のデッキプレート。
【請求項３】
前記凹凸部は、第１の方向に沿って前記山部と谷部とが交互に繰り返して配置される第１の領域と、前記第１の方向と異なる第２の方向に沿って前記山部と前記谷部とが交互に繰り返して配置される第２の領域とを有することを特徴とする請求項１又は２に記載のデッキプレート。
【請求項４】
前記凹凸部は、前記山部と前記谷部とが千鳥格子状に交互に繰り返して配置されていることを特徴とする請求項３に記載のデッキプレート。
【請求項５】
前記山部と前記谷部とがなす傾斜面の傾斜角度は、太陽光の入射角度に基づき設定されていることを特徴とする請求項１から４までのいずか一項に記載のデッキプレート。
【請求項６】
前記山部と前記谷部とがなす傾斜面の傾斜角度は、太陽の夏至の時期の南中高度における太陽光の入射角度と略同等に設定されていることを特徴とする請求項５に記載のデッキプレート。
【請求項７】
前記山部と前記谷部とがなす傾斜面の傾斜角度は、該入射面に入射された太陽光の反射光が前記山部と前記谷部とがなす他の傾斜面に入射されるように設定されていることを特徴とする請求項５に記載のデッキプレート。
【請求項８】
前記凹凸部は、第１の高さを有する前記山部と前記谷部とが配置される第１凹凸部と、前記第１の高さよりも大きい第２の高さを有する前記山部と前記谷部とが配置される第２凹凸部とを有することを特徴とする請求項１から７までのいずれか一項に記載のデッキプレート。
【請求項９】
前記第１凹凸部の山部と谷部とがなす傾斜面の傾斜角度は、前記第２凹凸部の山部と谷部とがなす傾斜面の傾斜角度よりも小さいことを特徴とする請求項８に記載のデッキプレート。
【発明の詳細な説明】
【技術分野】
【０００１】
本発明は、デッキプレートに関する。
【背景技術】
【０００２】
コンクリートを用いて構成される建築物の建設現場において、コンクリート構造部の型枠として使用するフラット型のデッキプレートが知られている。フラット型のデッキプレートは、その上面が平坦に形成され、上面とは反対の背面（下部）に断面略三角形のリブを備える。このようなデッキプレートを用いた建設現場においては、太陽の直射日光がデッキプレートに当たって反射し、反射光が作業者に当たることにより作業者の作業の妨げになるおそれがあり、作業者は、例えば状況に応じて、防眩眼鏡等を装着する等、本来の作業とは無関係な対策を講じる必要があった。
【０００３】
上記のような状況を解消するために、例えば、デッキプレートの表面に亜鉛メッキ層を形成して防眩効果を発現する方法が知られている（例えば、特許文献１参照）。この方法によれば、デッキプレート表面の亜鉛メッキ層が直射日光の反射を軽減するので、デッキプレートの防眩効果が高められる。
【先行技術文献】
【特許文献】
【０００４】
【特許文献１】特開平８−１３５０７２号公報
【発明の概要】
【発明が解決しようとする課題】
【０００５】
しかし、上記のような方法で防眩効果を高める場合には、デッキプレートの表面に別途メッキ層を形成させる処理が必要となる。また、建設現場での繰り返しの使用によってメッキ層が摩耗してくると、防眩効果が低下してしまうという課題があった。
【０００６】
そこで、本発明は、上記課題に鑑みてなされたものであり、メッキ層の処理など特殊な処理を施すことなく、優れた防眩効果を発現するデッキプレートを提供することを目的とする。
【課題を解決するための手段】
【０００７】
上記課題を解決するため、本発明に係る一態様は、デッキプレートであって、フランジ部と、前記フランジ部から突出して該フランジ部の一定方向に沿って設けられる複数のリブと、隣接する前記リブ間のフランジ部に形成され、山部と谷部とが交互に繰り返して配置される凹凸部とを有する。
【０００８】
また、前記凹凸部は、前記リブが延在する方向に沿って前記山部と前記谷部とが交互に繰り返して配置されることが好ましい。
【０００９】
また、前記凹凸部は、第１の方向に沿って前記山部と谷部とが交互に繰り返して配置される第１の領域と、前記第１の方向と異なる第２の方向に沿って前記山部と前記谷部とが交互に繰り返して配置される第２の領域とを有することが好ましい。
【００１０】
また、前記凹凸部は、前記山部と前記谷部とが千鳥格子状に交互に繰り返して配置されていることが好ましい。
【００１１】
また、前記山部と前記谷部とがなす傾斜面の傾斜角度は、太陽光の入射角度に基づき設定されていることが好ましい。
【００１２】
また、前記山部と前記谷部とがなす傾斜面の傾斜角度は、太陽の夏至の時期の南中高度における太陽光の入射角度と略同等に設定されていることが好ましい。
【００１３】
また、前記山部と前記谷部とがなす傾斜面の傾斜角度は、該入射面に入射された太陽光の反射光が前記山部と前記谷部とがなす他の傾斜面に入射されるように設定されていることが好ましい。
【００１４】
また、前記凹凸部は、第１の高さを有する前記山部と前記谷部とが配置される第１凹凸部と、前記第１の高さよりも大きい第２の高さを有する前記山部と前記谷部とが配置される第２凹凸部とを有することが好ましい。
【００１５】
また、前記第１凹凸部の山部と谷部とがなす傾斜面の傾斜角度は、前記第２凹凸部の山部と谷部とがなす傾斜面の傾斜角度よりも小さいことが好ましい。
【発明の効果】
【００１６】
本発明に係る態様によれば、太陽の直射日光の反射を抑制し、優れた防眩効果を発現する。
【図面の簡単な説明】
【００１７】
【図１】デッキプレートの斜視図である。
【図２】第１の実施の形態に係るデッキプレートの凹凸部を表す斜視図である。
【図３】図２の凹凸部を拡大した側面図である。
【図４】第１の実施の形態の（ａ）変形例に係るデッキプレートの凹凸部を表す斜視図であり、（ｂ）変形例に係るデッキプレートの凹凸部を表す斜視図であり、（ｃ）変形例に係るデッキプレートの凹凸部を表す側面図であり、（ｄ）変形例に係るデッキプレートの凹凸部を表す側面図であり、（ｅ）変形例に係るデッキプレートの凹凸部を表す側面図であり、（ｆ）変形例に係るデッキプレートの凹凸部を表す側面図であり、（ｇ）変形例に係るデッキプレートの凹凸部を表す斜視図であり、（ｈ）変形例に係るデッキプレートの凹凸部を表す斜視図である。
【図５】第２の実施の形態に係るデッキプレートの正面図である。
【図６】（ａ）凹凸部の正面図であり、（ｂ）凹凸部の拡大した正面図である。
【図７】（ａ）入射された太陽光の、凹凸部における反射状況を表す図であり、（ｂ）入射された太陽光の、凹凸部における反射状況を表す図である。
【図８】第２の実施の形態の変形例に係る凹凸部において、入射された太陽光の、凹凸部における反射状況を表す図である。
【発明を実施するための形態】
【００１８】
本発明の好ましい実施の形態について、図面を参照しながら説明する。なお、以下に示す実施の形態は一つの例示であり、本発明の範囲において、種々の形態をとり得る。
【００１９】
〔第１の実施の形態〕
〔フラットデッキの構成〕
第１の実施の形態に係るデッキプレートの構成について説明する。デッキプレート１は、例えば、フラットデッキと呼ばれるものであり、薄鋼板により形成されている。図１に示すように、デッキプレート１は、平坦形状のフランジ部２と、断面が略三角形の中空状のリブ３とを有している。
リブ３は、フランジ部２の長手方向Ｌに沿って複数配置されている。リブ３は、フランジ部２と一体に形成されており、デッキプレート１の強度を高める役割を担う。
また、フランジ部２は、デッキプレート１の幅方向において隣接するリブ３間に形成されている。フランジ部２には、凹凸部４が形成されている。
【００２０】
＜凹凸部＞
図２に示すように、凹凸部４は、曲面形状を有する山部４ａと谷部４ｂとをフランジ部２の長手方向Ｌに沿って繰り返し配置することによって形成されている。凹凸部４は、例えば、ロール成型やプレス加工によって形成される。以下に、凹凸部の形状の詳細を説明する。
【００２１】
図３に示すように、凹凸部４は、上に凸の曲面形状を有する山部４ａと、下に凸の曲面形状を有する谷部４ｂとを有する。
山部４ａと谷部４ｂとは、なだらかな傾斜面Ｐをなしている。傾斜面Ｐは曲面形状を有するが、本実施の形態においては、山部４ａの頂部（山部４ａで最も高い位置）と谷部４ｂの底部（谷部４ｂで最も低い位置）との中間位置Ｃにおける接線と平行する面を、山部４ａと谷部４ｂとがなす傾斜面Ｐとして説明する。この傾斜面Ｐは、太陽光の入射方向に対して略垂直となるように形成されている。すなわち、傾斜面Ｐの傾斜角度θ（傾斜面と水平方向との間の角度）は、太陽光の入射角度α（垂線方向と太陽光の入射方向との間の角度）と略同等に設定されている。
デッキプレート１に入射される太陽光は、その一部がデッキプレート１内に吸収される光（吸収光）とデッキプレート１を透過する光（透過光）となり、残りがデッキプレート１の表面で反射される光（反射光）となる。光の透過率は光の入射角度に応じて変化し、鋼板に対する光（ｓ波及びｐ波）の透過率は入射角度が０°（鋼板に対して垂直方向に入射する場合）において最も大きくなる。そのため、光の入射角度を小さくすることが、太陽光の反射率の低減につながる。
そこで、本実施の形態においては、上記の光の反射率と入射角度との関係を利用して、傾斜面Ｐの傾斜角度が設定されている。太陽光による照射の影響は、太陽が南中高度に到達する時間帯が最も大きくなる。ここで、南中高度とは、太陽が一日で最も高く上がった時の太陽と水平線との間の角度をいう。したがって、傾斜面Ｐが南中高度における太陽光の入射方向に対して垂直に形成された場合に、太陽光の反射率を効果的に低減することができる。例えば、一年で日照時間が最も長い夏至の時期では、北緯３５°に位置する場所において南中高度が７８．４°となる。この場合には、傾斜面Ｐの傾斜角度θが１１．６°（９０°−７８．４°）に設定されることにより、傾斜面Ｐが太陽光の入射方向に対して垂直となる。傾斜面Ｐの傾斜角度θは、北緯３５°に位置する場所において、１１．６°〜４０°（南中高度が５０°〜７８．４°の太陽光の入射方向に対して垂直）の範囲内に設定されること好ましい。さらには、傾斜面Ｐの傾斜角度θは、北緯３５°に位置する場所において、１１．６°〜３０°（南中高度が６０°〜７８．４°の太陽光の入射方向に対して垂直）の範囲内に設定されることがより好ましい。
【００２２】
なお上記実施の形態では、山部４ａの頂部（山部４ａで最も高い位置）と谷部４ｂの底部（谷部４ｂで最も低い位置）との中間位置Ｃにおける接線と平行する面を傾斜面Ｐとしたがこれに限られない。傾斜面Ｐは、山部４ａと谷部４ｂの任意の位置における傾斜面を適用することができる。山部４ａと谷部４とがなす傾斜面が曲面形状である場合には、任意の位置における接点を通る接線と平行する面を傾斜面として適用することができる。山部４ａと谷部４ｂとがなす傾斜面が平面形状である場合には、当該平面を傾斜面として設定することができる。いずれの設定条件下においても、傾斜面Ｐの傾斜角度θは、上記角度（１１．６°〜４０°）の範囲内に設定されることが好ましい。
【００２３】
以上のように、複数のリブ３の間のフランジ部２に凹凸部４が形成されることにより、フランジ部２の表面上に一定の傾斜角度を有する傾斜面Ｐが形成される。これにより、凹凸部がない場合と比較して、太陽光の反射率が低減される。さらに、傾斜面Ｐの傾斜角度が北緯３５°に位置する場所において、１１．６°〜４０°（南中高度が５０°〜７８．４°の太陽光の入射方向に対して垂直）の範囲内に設定されることによって、太陽光の反射率がより効果的に低減される。
【００２４】
第１の実施の形態に係るデッキプレートは、上記構成に限られない。例えば、図４に示す構成を提供することができる。
例えば、図４（ａ）に示すように、凹凸部４は、曲面形状を有する山部４ａと谷部４ｂとをフランジ部２の長手方向Ｌと垂直の方向（幅方向）に沿って繰り返し配置することによって形成されていてもよい。
例えば、図４（ｂ）に示すように、凹凸部４は、山部４ａと谷部４ｂとが第１の方向に沿って繰り返し配置される領域Ａ１と、山部４ａと谷部４ｂとが第１の方向と垂直な第２の方向に沿って繰り返し配置される領域Ａ２とが交互に（千鳥格子状に）配置して形成されていてもよい。
例えば、図４（ｃ）に示すように、凹凸部４は、平面形状を有する山部４ａと谷部４ｂとによって形成されていてもよい。
例えば、図４（ｄ）に示すように、凹凸部４は、曲面形状を有する山部４ａと谷部４ｂと、山部４ａと谷部４ｂとの組み合わせからなる１つの単位間に設けられる平坦部４ｃとによって形成されていてもよい。
例えば、図４（ｅ）に示すように、凹凸部４は、上に凸の曲面を有する山部４ａと傾斜のない平坦形状の谷部４ｂとによって形成されていてもよい。
例えば、図４（ｆ）に示すように、凹凸部４は、傾斜のない平坦形状の山部４ａと下に凸の曲面を有する谷部４ｂとによって形成されていてもよい。
例えば、図４（ｇ）に示すように、凹凸部４は、曲面形状を有する山部４ａと谷部４ｂとを一方向及び当該一方向と垂直の方向に交互に（千鳥格子状に）配置して形成されていてもよい。
例えば、図４（ｈ）に示すように、凹凸部４は、四角錐形状の突起を一方向及び当該一方向と垂直の方向に配置してなる山部４ａと谷部４ｂとによって形成されていてもよい。
なお、図４（ａ）〜図４（ｈ）のいずれの構成においても、山部４ａと谷部４ｂとがなす傾斜面Ｐの傾斜角度が北緯３５°に位置する場所において、１１．６°〜４０°（南中高度が５０°〜７８．４°の太陽光の入射方向に対して垂直）の範囲内に設定されることが好ましい。
なお、本実施の形態においては、傾斜面Ｐの傾斜角度が設定される条件として、北緯３５°に位置する場所を基準としたが、これに限られない。太陽の入射角は緯度に依存するため、上記傾斜面Ｐの傾斜角度及び南中高度は、本発明を適用する場所（緯度）に応じて適宜変更することができる。
【００２５】
［第２の実施の形態］
本発明の第２の実施の形態に係るデッキプレートについて、図５〜図７を用いて説明する。以下では、第１の実施の形態と異なる構成について主として説明し、第１の実施の形態と同じ構成については同一符号を付して説明を省略する。
【００２６】
＜凹凸部＞
図５に示すように、凹凸部４は、デッキプレート１の幅方向において隣接するリブ３間のフランジ部２に形成されている。図６（ａ）に示すように、凹凸部４は、第１山部４１ａと第１谷部４１ｂとを有する第１凹凸部４１と、第２山部４２ａと第２谷部４２ｂとを有する第２凹凸部４２とから構成されている。第１凹凸部４１と第２凹凸部４２は、ともに頂部（各山部４１ａ、４２ａの最も高い位置）を中心として左右対称に形成されている。この構成においては、第１谷部４１ｂと第２谷部４２ｂとが底部（谷部４１ｂ，４２ｂで最も低い位置）を共有する。第１凹凸部４１の高さＨ１（第１山部４１ａの頂部と第１谷部４１ｂの底部との距離）は、第２凹凸部の高さＨ２（第２山部４２ａの頂部と第２谷部４２ｂの底部との距離）よりも小さく設定されている。第１谷部４１ｂにおけるデッキプレート１の幅方向両端部（底部）に第２谷部４２ｂの端部が繋がっている。また、図６（ｂ）に示すように、第１凹凸部４１の山部４１ａと谷部４１ｂとがなす傾斜面Ｐ１の傾斜角度θ１は、第２凹凸部４２の山部４２ａと谷部４２ｂとがなす傾斜面Ｐ２の傾斜角度θ２よりも小さく設定されている。
【００２７】
図７（ａ）に示すように、上記構成によれば、太陽光が第２凹凸部４２の山部４２ａと谷部４２ｂとがなす傾斜面Ｐ２に入射されると、その入射光は傾斜面Ｐ２において反射される。反射光はさらに第１凹凸部４１の山部４１ａと谷部４１ｂとがなす傾斜面Ｐ３に入射され、傾斜面Ｐ３によって反射される。なお、傾斜面Ｐ３は、山部４１ａの頂部を介して傾斜面Ｐ１の背面側が位置している。傾斜面Ｐ３の傾斜角度は、傾斜面Ｐ１の傾斜角度と同じである。このように、太陽光は、凹凸部４において２回反射された後に凹凸部４の外側へと放射される。一方、図７（ｂ）に示すように、太陽光が傾斜面Ｐ３に入射されると、その入射光は傾斜面Ｐ１において反射される。反射光はさらに傾斜面Ｐ３に入射され、傾斜面Ｐ３によって反射される。この場合も、太陽光は、凹凸部４において２回反射された後に凹凸部４の外側へと放射される。
【００２８】
以上のように、凹凸部４は、高さ（山部４１ａ，４２ａの頂部と谷部４１ｂ、４２ｂの底部との距離）が異なる第１凹凸部４１と第２凹凸部４２とによって構成されている。このように構成することによって、凹凸部４に対して入射された太陽光は、複数回反射された後に凹凸部の外側へと放射される。凹凸部４に入射される太陽光は、凹凸部４での反射時に、一部が凹凸部４内に吸収される光（吸収光）及び凹凸部４を透過する光（透過光）となる。したがって、太陽光が凹凸部４で反射される回数が増加するほど、太陽光の反射率が低減される。
また、第１凹凸部４１の山部４１ａと谷部４１ｂとがなす傾斜面Ｐ１の傾斜角度が、第２凹凸部４２の山部４２ａと谷部４２ｂとがなす傾斜面Ｐ３の傾斜角度よりも小さく設定されている。このように構成することによって、太陽光が、第１凹凸部４１の山部４１ａと谷部４１ｂとがなす傾斜面Ｐ１と２凹凸部４２の山部４２ａと谷部４２ｂとがなす傾斜面Ｐ３のいずれに入射された場合でも、各傾斜面Ｐ１，Ｐ３によって複数回反射された後に凹凸部４の外側へと放射される。このように、凹凸部４に、太陽光が複数回反射される領域が広範に形成される。その結果、直射日光の反射を効果的に抑制し、高い防眩効果を発現することができる。
【００２９】
上記のように第２の実施の形態に係るデッキプレートとして、凹凸部４での太陽光の複数回反射を実現させる構成について説明したが、具体的な構成はこれに限られない。
例えば、図８に示すように、凹凸部４は、曲面形状を有する山部４ａと谷部４ｂのみを有する構成であってもよい。この構成においては、入射された太陽光が山部４ａと谷部４ｂとがなす傾斜面Ｐによって反射される。この反射光は、さらに山部４ａと谷部４ｂとがなす別の傾斜面に入射され、当該傾斜面によって再度反射される。この構成において、傾斜面Ｐの傾斜角度θは、入射される太陽光が当該傾斜面によって反射されることによって、反射光が再度別の傾斜面に入射されるように（凹凸部４において複数回の反射が起こるように）設定されている。
凹凸部４の形状は、上記の構成に限られない。例えば、図４（ａ）〜図４（ｈ）に示した構成であって、凹凸部４において太陽光の複数回の反射が起こるように傾斜面Ｐが設定されていれば、適用することができる。
【符号の説明】
【００３０】
１  デッキプレート
２  フランジ部
３  リブ
４  凹凸部
４ａ  山部
４ｂ  谷部
４１  第１凹凸部
４１ａ  山部
４１ｂ  谷部
４２  第２凹凸部
４２ａ  山部
４２ｂ  谷部
Ｐ  傾斜面
【図１】
2020143448.tif 000003
【図２】
2020143448.tif 000004
【図３】
2020143448.tif 000005
【図４】
2020143448.tif 000006
【図５】
2020143448.tif 000007
【図６】
2020143448.tif 000008
【図７】
2020143448.tif 000009
【図８】
2020143448.tif 000010